(57)【要約】      （修正有）【課題】洋バサミの使い勝手の良さと和バサミの堅牢性を兼ね備えた掴み器で、両辺をクロスさせず（堅牢性の確保）、両辺は枢軸にて枢着されており（使い勝手の良さ）、かつ握り部と作用部が枢着部分を挟んで対称の位置となり、器具も手も汚れないような構成の掴み器を提供する。【解決手段】２枚のハンドル１がクロスせず枢軸支持板１２ｂで枢着され、握り部１１、２１は掌の中に納まるようなサイズで、作用板１４、２４は末広がりの形状であり、ばね４により作用板の先端は閉方向に付勢され、作用板には閉鎖端が作用板の内部に押し込まれた袋を装着して掴み器とする。【選択図】図４
0003169654.tif 000002
【実用新案登録請求の範囲】
【請求項１】
夫々が握り部と枢軸支持部と作用部からなり、略対称形状の２枚のハ
ンドルが、枢軸支持部の一部を当接させて対向して設けられ、
夫々のハンドルにおいては、掌の中に納まるくらいのサイズの握り部
に連接された板状の枢軸支持部の両側辺から夫々略直角に枢軸支持板が突設され、該枢軸支持板には枢軸を貫設させるための円孔が穿設されており、
２枚のハンドルは、枢軸支持部の枢軸支持板の円孔に貫設された１本
の枢軸によって開閉自在に枢着され、
枢軸は、２枚のハンドルの枢軸支持部の幅より長く、一端が２枚のハ
ンドルの重ねられた夫々の枢軸支持部の１側辺に突設された枢軸支持板に穿設された円孔に支承され、他端も２枚のハンドルの重ねられた夫々の枢軸支持部の他の１側辺に突設された枢軸支持板に穿設された円孔に支承された状態であり、
枢軸支持部に連接された作用部は末広がりの形状で、作用部の先端部
は２枚のハンドルが枢軸支持部にて枢着された状態で相互に内側に向かうように屈曲されており、
２枚のハンドルは、枢軸あるいは枢軸の近傍に設けられたバネによって夫々の作用部の先端が閉鎖される方向に付勢されており、
２枚のハンドルの作用部には合成樹脂製あるいは紙製の袋がかけられ
ていて、該袋の閉鎖端は２枚のハンドルの作用部の間に押し込まれた状態に構成されている
ことを特徴とする掴み器。
【考案の詳細な説明】
【技術分野】
【０００１】
本考案は、動物の糞や死骸、さらには直接手で触れるのが躊躇われる
ような各種の汚染物を、手を汚すことなく掴みあげることができる掴み器に関するものであり、さらに詳しくは、
夫々が握り部と枢軸支持部と作用部からなり、略対称形状の２枚のハ
ンドルが、枢軸支持部の一部を当接させて対向して設けられ、
夫々のハンドルにおいては、掌の中に納まるくらいのサイズの握り部
に連接された板状の枢軸支持部の両側辺から夫々略直角に枢軸支持板が突設され、該枢軸支持板には枢軸を貫設させるための円孔が穿設されており、
２枚のハンドルは、枢軸支持部の枢軸支持板の円孔に貫設された１本
の枢軸によって開閉自在に枢着され、
枢軸は、２枚のハンドルの枢軸支持部の幅より長く、一端が２枚のハ
ンドルの重ねられた夫々の枢軸支持部の１側辺に突設された枢軸支持板に穿設された円孔に支承され、他端も２枚のハンドルの重ねられた夫々の枢軸支持部の他の１側辺に突設された枢軸支持板に穿設された円孔に支承された状態であり、
枢軸支持部に連接された作用部は末広がりの形状で、作用部の先端部
は２枚のハンドルが枢軸支持部にて枢着された状態で相互に内側に向かうように屈曲されており、
２枚のハンドルは、枢軸あるいは枢軸の近傍に設けられたバネによって夫々の作用部の先端が閉鎖される方向に付勢されており、
２枚のハンドルの作用部には合成樹脂製あるいは紙製の袋がかけられ
ていて、該袋の閉鎖端は２枚のハンドルの作用部の間に押し込まれた状態に構成されている
ことを特徴とする掴み器、
に関するものである。
【背景技術】
【０００２】
犬の散歩中に犬が脱糞した糞を、手を汚さずにビニール袋に収容するために、小さなスコップなどがよく使用される。しかしながら、糞をスコップで掬った場合、スコップ自体が汚れてしまうので、掬った後のスコップにはわざわざビニール袋をかけたりする等面倒なことが多い。
【０００３】
このような事態を回避するために、糞を挟んで持ち上げる器具に予めビニール袋（あるいは紙袋）をかけておき、糞を挟んで持ち上げた後はかけられたビニール袋（あるいは紙袋）を裏返すだけで糞はビニール袋（あるいは紙袋）に収容され、器具自体は汚れることがないという構成の発明や考案が各種出願されている。
【０００４】
しかしながら、こういった器具類で、現実に使用されているものはまず見かけない。その理由としては、おそらく器具の堅牢性や使い勝手に問題があるせいだと思われる。こういった、犬の糞等手で触れられないものを挟んで処理する器具は、洋バサミタイプのもの、すなわち枢軸部で左右両辺がクロスするタイプのものと、和バサミタイプのもの、すなわち枢軸部で左右両辺がクロスしないタイプのものに分けられる。
【０００５】
下記特許文献のうち、文献２、４は洋バサミタイプ、文献１、３、５、６は和バサミタイプのものである。堅牢性からすれば、枢軸部で左右両辺がクロスしない和バサミタイプのものの方が概して優秀であり、これに対して、使い勝手からすると、枢軸部で左右両辺をクロスさせる洋バサミタイプのものが望ましい。
【０００６】
すなわち、洋バサミタイプのものは、枢軸で左右両辺がクロスするかたちになるので、枢軸の一方に握り部を有し、枢軸のもう一方に作用部を有する形状となるのが一般的であるが、この構成の場合、握り部の長さを充分に取れるので、梃子の原理でわずかな力で作用部の開閉を行うことができ、また作用部の細かい制御も行いやすい。すなわち全体として使い勝手が向上するという利点がある。
【０００７】
これに対し、洋バサミタイプのものの欠点は、枢軸で左右両辺がクロスするという構造から、どうしても構造が脆弱になりやすく堅牢性に欠けるということである。つまり、文献２、４を見てもわかるように、クロス部分（枢軸部分）が細い棒の一部を板状にした、まさに洋バサミの枢軸部分のような構成になっている。洋バサミの場合には、作用部が２枚の刃になっていて、閉じると切り口が１枚の平面になるように合わさるのでこのような構成で問題は生じないが、糞取器のようなものでは、どうしても作用部を、ある程度の大きさの物体を掴めるくらいに拡大しなければならない。その結果として、細いクロス部分で大きく拡大された作用部を支えることとなり、作用部の開閉が正確に行われなくなったり、あるいは使用を重ねるとズレやガタつきの原因となる。すなわち、堅牢性に劣る結果となる。
【０００８】
これに対して、和バサミタイプのものは、概して枢軸の延長をある程度の長さに設定できるので、枢軸部分と作用部のバランスが極端に崩れることがなく、結果として開閉を重ねても作用部がずれることもなく、ガタつきも生じにくい。すなわち、構造的に洋バサミタイプのものよりはるかに堅牢である。
【０００９】
しかしながら、一般的にいって、和バサミタイプのものは、洋バサミタイプのものより使い勝手において劣るケースが多い。たとえば、文献１、３に示す発明は、枢軸部分が両辺の端部に位置し、握り部と作用部が同じ側にある。このような構成の場合には、梃子の原理が働きにくく、開閉に力が要るし、握り部と作用部が近くなる分、作用部に対する制御が効かせにくい。すなわち、一言でいうなら使いづらい構成となってしまう。
【００１０】
これに対し、文献５、６の考案は、枢軸を設けず、両辺の上端部近くにくびれ部を形成して、この部分を支点にして作用部の開閉を行うというもので、両辺がクロスしていないという点では和バサミタイプであるが、握り部と作用部が支点に対して反対側に位置するという点では洋バサミタイプである。つまり、この２つの考案は、和バサミタイプと洋バサミタイプの良いところを取り入れようとしたものと考えられる。
【００１１】
しかしながら、この２考案の現実的な使用形態を考えてみると、これはやはり使いづらいものであることがわかる。すなわち、作用部のサイズに対して握り部があまりにも短いので、やはり開くためにはある程度大きな力を要するし、同じ理由から制御面でも不安がある。また、両辺が枢軸で堅固に枢着されているのではなく、互いが互いを支点としているという構成のため、堅牢性という面においても問題があると考えられる。
【００１２】
さらに、この２考案においては、握り部が短いことを補うためと支点の確保のために握り部の幅が作用部の幅と同じとされているが、このような器具の場合には、この点においても扱いづらさが生まれるものと考えられる。すなわち、握り部を握った場合に、握り部が掌の中に入りきらないために、たとえばペンチなどを握るような作用部を制御しやすい握り方ができなくて、全体を上から掴むような握り方になる。これでは作用部の制御を行いにくく、さらに握るときも握りにくい。すなわち、この点においても使い勝手はあまりよくないものであると考えられる。
【先行技術文献】
【特許文献】
【００１３】
【特許文献１】特開２００６−３２０３０３号公報
【特許文献２】特開２００４−２２２５５４号公報
【特許文献３】特開２００３−５２２６５号公報
【特許文献４】特開２００１−８５７０号公報
【特許文献５】登録実用新案第３０４９９６１号公報
【特許文献６】実開平６−８４８４１号公報
【考案の概要】
【考案が解決しようとする課題】
【００１４】
上記より、本考案が解決しようとする課題は、次のとおりとなる。
＜課題１＞
洋バサミの使い勝手の良さと和バサミの堅牢性を兼ね備えた掴み器を開発する。
＜課題２＞
その際、基本構成は、和バサミのように両辺をクロスさせないが（堅牢性の確保）、両辺は枢軸にて枢着されており、かつ握り部と作用部が枢着部分を挟んで対称の位置にくる（使い勝手の良さ）ようにする。
＜課題３＞
握り部は、掌の中に納まるサイズで、ペンチのような作用部の制御がしやすい握り方ができるものとする。
＜課題４＞
作用部は、一般的なサイズの犬の糞を充分に掴むことのできるサイズと形状のものとする。
＜課題５＞
作用部全体にビニール袋や紙袋をかけておいて、器具も手も汚れないような構成を取ることとする。
【課題を解決するための手段】
【００１５】
本考案は、上記課題を解決するためになされたものであり、以下に示す解決手段を提供する。  
夫々が握り部と枢軸支持部と作用部からなり、略対称形状の２枚のハ
ンドルが、枢軸支持部の一部を当接させて対向して設けられ、
夫々のハンドルにおいては、掌の中に納まるくらいのサイズの握り部
に連接された板状の枢軸支持部の両側辺から夫々略直角に枢軸支持板が突設され、該枢軸支持板には枢軸を貫設させるための円孔が穿設されており、
２枚のハンドルは、枢軸支持部の枢軸支持板の円孔に貫設された１本
の枢軸によって開閉自在に枢着され、
枢軸は、２枚のハンドルの枢軸支持部の幅より長く、一端が２枚のハ
ンドルの重ねられた夫々の枢軸支持部の１側辺に突設された枢軸支持板に穿設された円孔に支承され、他端も２枚のハンドルの重ねられた夫々の枢軸支持部の他の１側辺に突設された枢軸支持板に穿設された円孔に支承された状態であり、
枢軸支持部に連接された作用部は末広がりの形状で、作用部の先端部
は２枚のハンドルが枢軸支持部にて枢着された状態で相互に内側に向かうように屈曲されており、
２枚のハンドルは、枢軸あるいは枢軸の近傍に設けられたバネによって夫々の作用部の先端が閉鎖される方向に付勢されており、
２枚のハンドルの作用部には合成樹脂製あるいは紙製の袋がかけられ
ていて、該袋の閉鎖端は２枚のハンドルの作用部の間に押し込まれた状態に構成されている
ことを特徴とする掴み器。
【考案の効果】
【００１６】
本考案の掴み器の最も大きな効果は、２枚のハンドルの夫々の握り部
に連接された板状の枢軸支持部の両側辺から夫々略直角に突設された枢軸支持板を介在して、２枚のハンドルが枢軸によって一体的に開閉自在に枢着されているため、２枚のハンドルの枢着部分が頗る堅牢である点である。したがって、長期の使用によるも破壊、損傷の虞れはなく、頗る耐久性に富む優れた掴み器である。
【００１７】
本考案の掴み器においては、２枚のハンドルは共に枢軸支持部を境に握り部と作用部に分けられているので、使用する際には洋バサミのように用いることができる。したがって、作用部に対する制御も完全に行うことができ、極めて使い勝手が良い。また、作用部と握り部が離れているので、作用部で手で直接触れたくないものを掴む場合にても、作用部で掴んだものによって握り部を握る手が汚れるという心配が全くない。
【００１８】
本考案の掴み器は、握り部は手で握った際に掌の中に納まるようなサイズに構成されているので、操作の際に極めて使い勝手がいい。すなわち、ハサミやペンチを扱うような感覚で扱うことができるので、掴みやすく、また掴んだ後の処理もしやすい。さらには、長い柄のようなものも持たないので、犬を連れた散歩等においても邪魔にならず、携行に頗る便利である。
【００１９】
本考案の掴み器は、作用部は枢軸支持板から末広がりの形状で作用部の先端部は２枚のハンドルを枢着した場合に相互に内側に向かうように屈曲されているので、犬の糞等ある程度の大きさのあるものも極めて掴みやすい。さらには、枢軸支持板部分から握り部にかけては掌に収まるサイズにされているので、操作面においても問題なく操作が可能である。
【００２０】
本考案の掴み器は、枢軸は２枚のハンドルの枢軸支持板に貫設され、
枢軸あるいは枢軸の近傍に設けられたバネによって２枚のハンドルは夫々の作用部の先端が閉鎖される方向に付勢されているので、枢軸支持板を夫々のハンドルにおいて２枚ずつとし、２枚の枢軸支持板の間隔（すなわち枢軸支持部の幅）を長くすれば枢軸も長くすることが可能である。即ち、末広がりの作用部を安定的に支えるに足るだけの長さの枢軸を設けることができるので、開閉構造を極めて安定的に構成することができる。
【００２１】
本考案の掴み器は、２枚のハンドルの作用部には合成樹脂製あるいは
紙製の袋がかけられていて、該袋の閉鎖端は２枚のハンドルの作用部の間に押し込まれた状態に構成されているので、袋をかけたままで糞等の対象物を掴み、掴んだ後は袋を外せば糞等の対象物は袋の中に残ったままとなるので、一切手を汚すことがなく、さらには掴み器自体が汚れることもない。
【図面の簡単な説明】
【００２２】
【図１】（ａ）本考案の実施例１の掴み器の１方のハンドルの外観斜視図である。（ｂ）本考案の実施例１の掴み器のもう１方のハンドルの外観斜視図である。（ｃ）本考案の実施例１の掴み器のばねを巻装した枢軸の外観斜視図である。（ｄ）図１ｃの拡大図である。（ｅ）本考案の実施例１の掴み器に装着される袋の外観斜視図である。
【図２】（ａ）本考案の実施例１の掴み器の正面図である。（ｂ）本考案の実施例１の掴み器の右側面図である。
【図３】（ａ）本考案の実施例１の掴み器の平面図である。（ｂ）本考案の実施例１の掴み器の底面図である。
【図４】本考案の実施例１の掴み器の外観斜視図である。
【図５】（ａ）本考案の実施例１の掴み器の外観斜視図である。（ｂ）本考案の実施例１の掴み器の袋の外観斜視図である。（ｃ）本考案の実施例１の掴み器の作用を説明するための説明図である。
【図６】（ａ）本考案の実施例１の掴み器の作用を説明するための説明図である。（ｂ）本考案の実施例１の掴み器の作用を説明するための説明図である。
【図７】（ａ）本考案の実施例１の掴み器の作用を説明するための説明図である。（ｂ）本考案の実施例１の掴み器の作用を説明するための説明図である。
【図８】（ａ）本考案の実施例１の掴み器の作用を説明するための説明図である。（ｂ）本考案の実施例１の掴み器の作用を説明するための説明図である。（ｃ）本考案の実施例１の掴み器の作用を説明するための説明図である。
【図９】（ａ）本考案の実施例１の掴み器の作用を説明するための説明図である。（ｂ）本考案の実施例１の掴み器の作用を説明するための説明図である。
【図１０】（ａ）本考案の実施例１の掴み器の作用を説明するための説明図である。（ｂ）本考案の実施例１の掴み器の作用を説明するための説明図である。
【考案を実施するための形態】
【００２３】
本考案を実施するための形態を、図面を参照しながら詳細に説明する。
【実施例１】
【００２４】
＜実施例１の構成＞
本考案の実施例１の掴み器Ｈは、図１〜図４に見るように、ハンドル１、ハンドル２、ばね４を巻装した枢軸３、そして、袋５から構成されるものである。ハンドル１、ハンドル２、枢軸３は金属製でも合成樹脂製でも良い。ばね４は金属製が望ましいが、合成樹脂製でもかまわない。袋５はポリエチレンのような合成樹脂の薄膜、あるいは紙から構成されることができる。
【００２５】
ハンドル１は、図１ａに示すように、長方形の板状の握り板１１の下方に枢軸支持板１２ａ、１２ｂが略直角に突設されており、その下方は同じく板状の頸部１３となっている。そして、頸部１３の下方には末広がりの台形状の作用板１４が連接されている。作用板１４の下部は屈曲されて先端部１４ａを構成している。握り板１１、枢軸支持板１２ａ、１２ｂ、頸部１３、作用板１４はすべて一体として構成されている。なお、枢軸支持板１２ａ、１２ｂには夫々円孔ｈが穿設されている。
【００２６】
ハンドル２は、図２ａに示すように、長方形の板状の握り板２１の下方に枢軸支持板２２ａ、２２ｂが略直角に突設されており、その下方は同じく板状の頸部２３となっている。そして、頸部２３の下方には末広がりの台形状の作用板２４が連接されている。作用板２４の下部は屈曲されて先端部２４ａを構成している。握り板２１、枢軸支持板２２ａ、２２ｂ、頸部２３、作用板２４はすべて一体として構成されている。なお、枢軸支持板２２ａ、２２ｂには夫々円孔ｈが穿設されている。ハンドル２は、その構成はハンドル１と略対称であるが、枢軸支持板２２ａ、２２ｂの端部が円弧状にされている点のみが異なる。
【００２７】
図１ｃに示すのは、ばね４を巻装した枢軸３である。拡大図を図１ｄに示す。ばね４はコイルばねであり、端部４ａ、４ｂが夫々上方に延伸されている。また、図１ｅには袋５を示す。実施例１にては袋５は通常のポリエチレン製の袋であり、掴み器Ｈの全体が余裕をもって袋内に収容可能なサイズのものである。
【００２８】
実施例１の掴み器Ｈは、ばね４を巻装した枢軸３がハンドル１の枢軸支持板１２ａ、１２ｂの孔ｈ、ｈとハンドル２の枢軸支持板２２ａ、２２ｂの孔ｈ、ｈに挿通固定されることによって組付けられる。この場合、枢軸３が脱落しない工夫が当然必要となるが、これについては、カシメや固定ピンの挿入等、適宜適切な手段を講じればよい。本考案の図面においては、このための固定手段は特に図示していない。組付けが終了した掴み器Ｈは、図２に示すように、全体として、握り部Ｇ、枢軸支持部Ｘ、作用部Ａから構成される。
【００２９】
図２ｂに示すように、組付けが終了した掴み器Ｈは、作用部Ａの先端部１４ａ、２４ａが閉じた状態である。これは、ばね４の端部４ａが握り板１１を外側（図の左方）に押し、端部４ｂが握り板２１をやはり外側（図の右方）に押しているからである。すなわち、作用部Ａの先端部１４ａ、２４ａはばね４によって閉鎖方向に付勢された状態である。
【００３０】
＜実施例１の作用＞
実施例１の掴み器Ｈは、常に袋５を掛けた状態にて使用されるものである。袋５の掛け方を図５〜図８に示す。袋５のサイズは、長さｈＬも幅ｈＷも掴み器Ｈの長さＨＬ、幅ＨＷより大きめのものを用意する。まず、掴み器Ｈの作用部Ａ側に袋５を位置させる。この際、袋５の開口部５１ではなく閉鎖部５２を掴み器Ｈの側に位置させる（図５ａ、図５ｂ参照）。
【００３１】
次に、図５ｃに見るように、掴み器Ｈの握り部Ｇを握る（Ａ１、Ａ２方向）。すると、作用部Ａが開く（Ｂ１、Ｂ２方向）。次に、開いた先端部１４ａ、２４ａの間に袋５の閉鎖部５２を挿入する（ｚ方向）。この際、挿入深さは、袋５の長さｈＬの２分の１〜３分の１程度とする（図５ｃ参照）。適切な位置まで挿入が完了すれば（図６参照）、握り部Ｇを握っていた力を弱める。すると作用部Ａの先端部１４ａ、２４ａが図７のように袋５を銜え込む。
【００３２】
この際、挿入深さが袋５の長さｈＬの２分の１を越えてしまうと、後の工程で袋５の開口部５１を折り返したときに（図８参照）、開口部５１が充分に作用部Ａを被覆することができなくなり、場合によっては掴み器Ｈが対象物Ｔ（図９参照）によって汚れてしまうことも起こりえる。また、挿入深さが袋５の３分の１に満たないと、作用部Ａの内部に銜え込まれる閉鎖部５２が短くなりすぎるので、対象物Ｔのサイズによっては掴みきれない事態も出てくる。
【００３３】
次に、図８に見るように、袋５の開口部５１を裏返しにしながら、開口部５１をＣ１、Ｃ２、Ｄ１、Ｄ２の方向に摺動させる。すると、図８ｂに示すように、裏返された開口部５１が掴み器Ｈの作用部Ａ全体を被覆する。この際、袋５の閉鎖部は先端部１４ａ、２４ａに銜え込まれて作用部Ａの内部に残されたままである（図８ｃ参照）。
【００３４】
次に、掴み器Ｈを対象物Ｔの直上に位置させて（図９ａ参照）、握り部ＧにＡ１、Ａ２方向の力を加えて作用部Ａの先端部１４ａ、２４ａを開き（Ｂ１、Ｂ２方向）そのまま掴み器Ｈ全体を下方（方向Ｘ）へ移動させる。この際、袋５は先端部１４ａ、２４ａの動きに連動するので、袋５の閉鎖部５２の下部も先端部１４ａ、２４ａの動きに合わせて開かれる。
【００３５】
この状態にて先端部１４ａ、２４ａを対象物Ｔを完全に収容可能な位置まで下げて、握り部Ｇに加えていた力を緩める。すると、先端部１４ａ、２４ａは閉じるが、先端部１４ａ、２４ａが一定角度で傾斜されているため、閉じる際に対象物Ｔを掬い上げる様にして作用部Ａ内の空間に対象物Ｔを収容する（図９ｂ参照）。対象物Ｔが完全に作用部Ａ内の空間に収容できれば、掴み器Ｈ全体を上方（方向Ｙ）に移動させる。
【００３６】
この際、対象物Ｔは、先端部１４ａ、２４ａに直接接触して掬いあげられるのではなく、図９ｂに見るように、対象物Ｔと先端部１４ａ、２４ａの間には、袋５の膜体５Ｆが介在している。したがって、対象物Ｔによって先端部１４ａ、２４ａが汚染されるということが起こらない。また、掴み器Ｈの全体も、枢軸支持部Ｘの位置くらいまでが袋５の膜体５Ｆに被覆された状態であるので、掴み器Ｈの先端部１４ａ、２４ａ以外の部分も対象物Ｔによって汚染されることがない。
【００３７】
次に、図１０ａに見るように掴み器Ｈ全体を倒立させる。この際、対象物Ｔは袋５の閉鎖部５２の内部に収容された状態であるので、先端部１４ａ、２４ａが閉じた部分Ｃで閉鎖された閉鎖部５２によって吊り上げられながら収容されている状態となる。
【００３８】
次に、この状態で、握り部ＧにＡ１、Ａ２方向の力を加える。これによって先端部１４ａ、２４ａは開かれる（Ｂ１、Ｂ２方向）が、摩擦力によって袋５の状態は安定しているので、収容された対象物Ｔが重力によって下方に移動することは起こらない。この状態で、開口部５１をもう一度裏返す（Ｅ１、Ｅ２方向）。図８の状態で一度裏返されているので、これをもう一度裏返すということは、袋５を元の状態に戻すということに他ならない。
【００３９】
元の状態となった袋５は、内部に対象物Ｔが収容されている状態である。したがって、この状態の袋５を掴み器Ｈの先端部１４ａ、２４ａから引き抜けばよい。すると、袋５は対象物Ｔを内部に収容した状態で掴み器Ｈより分離される（この状態は図示しない）。後は、一例として図１０ｂのように袋５の開口部を持てば、手を全く汚すことなく、さらに掴み器Ｈも全く汚すことなく対象物Ｔの袋５への収容作業は完了する。
【産業上の利用可能性】
【００４０】
本考案の掴み器は、携行に嵩張らず、使い勝手もよく、さらに堅牢で、袋を所定の方法にてかけて使用することにより、手も掴み器自体も全く汚染することなく対象物Ｔを袋５内に収容することができる。したがって、犬の散歩中の糞取りをはじめ、小動物の死骸や汚染された土塊や、その他直接手では触れられないような様々なものの収容に最適の器具であり、これまでの同種の器具の欠点を全て改良したものであるので、産業上の利用性においては詢に大きなものがあるといえる。
【符号の説明】
【００４１】
１        ハンドル
１１      握り板
１２ａ    枢軸支持板
１２ｂ    枢軸支持板
１３      頸部
１４      作用板
１４ａ    先端部
２        ハンドル
２１      握り板
２２ａ    枢軸支持板
２２ｂ    枢軸支持板
２３      頸部
２４      作用板
２４ａ    先端部
３        枢軸
４        ばね
４ａ      端部
４ｂ      端部
５        袋
５１      開口部
５２      閉鎖部
５Ｆ      膜体
Ａ        作用部
Ａ１      方向
Ａ２      方向
Ｂ１      方向
Ｂ２      方向
Ｃ        部分
Ｃ１      方向
Ｃ２      方向
Ｄ１      方向
Ｄ２      方向
Ｇ        握り部
Ｈ        掴み器
ＨＬ      長さ
ＨＷ      幅
Ｔ        対象物
Ｘ        枢軸支持部
ｈ        円孔
ｈＬ      長さ
ｈＷ      幅
ｘ        方向
ｙ        方向
ｚ        方向
【図１】
0003169654.tif 000003
【図２】
0003169654.tif 000004
【図３】
0003169654.tif 000005
【図４】
0003169654.tif 000006
【図５】
0003169654.tif 000007
【図６】
0003169654.tif 000008
【図７】
0003169654.tif 000009
【図８】
0003169654.tif 000010
【図９】
0003169654.tif 000011
【図１０】
0003169654.tif 000012